(57)【要約】【課題】着陸灯又はサーチライトとして使用するための多モード可視光−赤外線ライトヘッド（１００）を提供する。【解決手段】多モードライトヘッドはモジュール式の設計であり、少なくとも一つの可視光源（２００）及び少なくとも一つの赤外線ダイオード（３０２）がハウジング（１０２）の後セクタ（１２８）に取り付けられている。可視光又は赤外線は、ハウジング（１０２）の前セクタ（１２２）から放射される。レンズ（３０８）がハウジング（１０２）の前セクタ（１２２）に設置されており、ライトヘッド（１００）の内部をエレメントから保護するためにシールされている。別の態様では、撮影モジュール（１）、及び赤外線レーザー（４００）、及び／又は固定位置サーチライトを距離測定器と組み合わせ、多モードライトヘッド（１００）に定位性を提供する。【選択図】図１
2005508271.tif 000002
【特許請求の範囲】
【請求項１】
多モードライトヘッド（１００）において、
前セクタ、後セクタ、上セクタ、及び下セクタを持つハウジング（１０２）、
前記ハウジング（１０２）の前記セクタのうちの一つに連結された取り付け点（１１４）、
前記ハウジング（１０２）の内側に取り付けられた、光を前記ハウジング（１０２）の前記前セクタ（１２２）から反射する反射装置、
前記ハウジング（１０２）の前記前セクタ（１２２）から画像を捕捉するため、前記ハウジング（１０２）内に位置決めされた撮影モジュール（１）、
前記ハウジング（１０２）の前記後セクタ（１２８）から前記ハウジング（１０２）内に設置され、前記ハウジング（１０２）の前記前セクタ（１２２）から赤外線を放射するように位置決めされた少なくとも一つの高輝度赤外線ダイオード（３０２）、
前記ハウジング（１０２）の前記後セクタ（１２８）から前記ハウジング（１０２）内に前記反射器から突出するように設置された、前記ハウジング（１０２）の前記前セクタ（１２２）から光を放射する少なくとも一つの可視光源（２００）、及び
前記ハウジング（１０２）の前記前セクタ（１２２）に取り付けられた、放射された可視光又は赤外線のうちの少なくとも一方が通過する少なくとも一つのレンズ（３０８）を含む、多モードライトヘッド（１００）。
【請求項２】
請求項１に記載の多モードライトヘッド（１００）において、前記可視光源（２００）、前記赤外線ダイオード（３０２）、及び前記撮影モジュール（１）のうちの少なくとも一つが発生した熱を運び去るための少なくとも一つの放熱装置を更に含む、多モードライトヘッド（１００）。
【請求項３】
請求項１に記載の多モードライトヘッド（１００）において、前記ライトヘッド（１００）に取り付けられた電源、及び
前記電源を制御するための電力制御回路を更に含む、多モードライトヘッド（１００）。
【請求項４】
請求項１に記載の多モードライトヘッド（１００）において、
前記ハウジング（１０２）内の高出力赤外線レーザー（４００）、及び
前記ハウジング（１０２）の前記前セクタ（１２２）のレーザー（４００）穴開口部を更に含む、多モードライトヘッド（１００）。
【請求項５】
請求項４に記載の多モードライトヘッド（１００）において、前記高出力赤外線レーザー（４００）は、約５０ｍＷ又はそれ以上であり、約７８０ｎｍ又はそれ以上で作動する、多モードライトヘッド（１００）。
【請求項６】
多モードライトヘッド（１００）において、
前セクタ、後セクタ、上セクタ、及び下セクタを持つハウジング（１０２）、
前記ハウジング（１０２）の前記前セクタ（１２２）から画像を捕捉するため、前記ハウジング（１０２）内に位置決めされた撮影モジュール（１）、
前記ハウジング（１０２）の前記後セクタ（１２８）から前記ハウジング（１０２）内に設置された、赤外線を前記ハウジング（１０２）の前記前セクタ（１２２）から放射するように位置決めされた少なくとも一つの高輝度赤外線ダイオード（３０２）、及び
前記反射器を通って突出し、光を前記ハウジング（１０２）の前記前セクタ（１２２）から放射するように、前記ハウジング（１０２）の前記後セクタ（１２８）から前記ハウジング（１０２）内に設置された少なくとも一つの可視光源（２００）を含む、多モードライトヘッド（１００）。
【請求項７】
請求項６に記載の多モードライトヘッド（１００）において、
前記ハウジング（１０２）内の高出力赤外線レーザー（４００）、及び
前記ハウジング（１０２）の前記前セクタ（１２２）のレーザー（４００）穴開口部を更に含む、多モードライトヘッド（１００）。
【請求項８】
多モードライトヘッド（１００）において、
前セクタ、後セクタ、上セクタ、及び下セクタを持つハウジング（１０２）、
前記ハウジング（１０２）内の高出力赤外線レーザー（４００）、
前記ハウジング（１０２）の前記前セクタ（１２２）のレーザー（４００）穴開口部、
前記ハウジング（１０２）の前記後セクタ（１２８）から前記ハウジング（１０２）内に設置された、赤外線を前記ハウジング（１０２）の前記前セクタ（１２２）から放射するように位置決めされた少なくとも一つの高輝度赤外線ダイオード（３０２）、及び
光を前記ハウジング（１０２）の前記前セクタ（１２２）から放射するように、前記ハウジング（１０２）の前記後セクタ（１２８）から前記ハウジング（１０２）内に設置された少なくとも一つの可視光源（２００）を含む、多モードライトヘッド（１００）。
【請求項９】
多モードライトヘッド（１００）システムにおいて、
前セクタ、後セクタ、上セクタ、及び下セクタを持つライトヘッドハウジング（１０２）、
前記ハウジング（１０２）の前記前セクタ（１２２）から画像を捕捉するため、前記ハウジング（１０２）内に位置決めされた撮影モジュール（１）、
前記撮影モジュール（１）からの画像を見て保持するためのディスプレー、
ライトヘッドハウジング（１０２）を位置決めし制御するための位置決め及び制御システム、
前記ハウジング（１０２）の前記セクタのうちの少なくとも一つに連結された、前記位置決め及び制御システムとの境界をなす取り付け部分（１１４）、
前記ハウジング（１０２）の前記後セクタ（１２８）から前記ハウジング（１０２）内に設置され、赤外線を前記ハウジング（１０２）の前記前セクタ（１２２）から放射するように位置決めされた少なくとも一つの高輝度赤外線ダイオード（３０２）、及び
前記反射器を通って突出し、光を前記ハウジング（１０２）の前記前セクタ（１２２）から放射するように、前記ハウジング（１０２）の前記後セクタ（１２８）から前記ハウジング（１０２）内に設置された少なくとも一つの可視光源（２００）を含む、多モードライトヘッドシステム（１００）。
【請求項１０】
多モードライトヘッド（１００）システムにおいて、
前セクタ、後セクタ、上セクタ、及び下セクタ（１２２、１２８、１２４、１２６）を持つライトヘッドハウジング（１０２）、
ライトヘッドハウジング（１０２）を位置決めし制御するための位置決め及び制御システム、
前記ハウジング（１０２）の前記セクタのうちの少なくとも一つに連結された、前記位置決め及び制御システムとの境界をなす取り付け部分、
高出力赤外線レーザー（４００）、
前記ハウジング（１０２）の前記前セクタ（１２２）のレーザー（４００）穴開口部、
前記ハウジング（１０２）の前記後セクタ（１２８）から前記ハウジング（１０２）内に設置された、赤外線を前記ハウジング（１０２）の前記前セクタ（１２２）から放射するように位置決めされた少なくとも一つの高輝度赤外線ダイオード（３０２）、及び
前記反射器を通って突出し、光を前記ハウジング（１０２）の前記前セクタ（１２２）から放射するように、前記ハウジング（１０２）の前記後セクタ（１２８）から前記ハウジング（１０２）内に設置された少なくとも一つの可視光源（２００）を含む、多モードライトヘッドシステム（１００）。
【請求項１１】
請求項１０に記載の多モードライトヘッド（１００）システムにおいて、
前記ハウジング（１０２）の前記前セクタ（１２２）から画像を捕捉するため、前記ハウジング（１０２）内に位置決めされた撮影モジュール（１）、及び
前記撮影モジュール（１）からの画像を見て保持するためのディスプレーを更に含む、多モードライトヘッドシステム（１００）。
【請求項１２】
請求項１４に記載の多モードライトヘッド（１００）システムにおいて、
絶縁された赤外線レーザーハウジング（１０２）、及び
光学式スリップリングアッセンブリを更に含み、この光学式スリップリングアッセンブリは、光ファイバ、レンズ（３０８）装置、定置部分及び回転部分を含み、前記赤外線レーザー（４００）は前記ライトヘッド（１００）の前記ハウジング（１０２）の外側に位置決めされている、多モードライトヘッドシステム（１００）。
【請求項１３】
多モードライトヘッド（１００）を提供するためのプロセスにおいて、
前記ハウジング（１０２）の前記前セクタ（１２２）から画像を捕捉するため、撮影モジュール（１）を前記ハウジング（１０２）内に設ける工程、
前記ハウジング（１０２）の前記前セクタ（１２２）から赤外線を放射するため、前記ハウジング（１０２）の前記後セクタ（１２８）から少なくとも一つの高輝度赤外線ダイオード（３０２）を前記ハウジング（１０２）内に設置する工程、
前記可視光源（２００）が前記反射器を通って突出し、可視光を前記ハウジング（１０２）の前記前セクタ（１２２）から放射するように、少なくとも一つの可視光源（２００）を前記ハウジング（１０２）内に前記ハウジング（１０２）の前記後セクタ（１２８）から設置する工程、及び
前記ハウジング（１０２）の位置を制御する、前記ライトヘッド（１００）用の位置決め及び制御システムを設ける工程を含む、プロセス。
【請求項１４】
ライトヘッド（１００）において、
前セクタ、後セクタ、上セクタ、及び下セクタを持つハウジング（１０２）、
前記ハウジング（１０２）の前記セクタのうちの少なくとも一つに連結された取り付け部分、及び
高輝度赤外線ダイオード（３０２）、可視光源（２００）、高出力赤外線レーザー（４００）、及び撮影モジュール（１）のうちの少なくとも一つを含み、
前記ダイオード（３０２）は、前記ハウジング（１０２）の前記後セクタ（１２８）から前記ハウジング（１０２）内に設置されており、前記ハウジング（１０２）の前記前セクタ（１２２）から赤外線を放射するように位置決めされており、
前記可視光源（２００）は、この可視光源（２００）が前記ハウジング（１０２）の前記前セクタ（１２２）から光を放射するように、前記ハウジング（１０２）の前記後セクタ（１２８）から前記ハウジング（１０２）内に設置されており、
前記高出力赤外線レーザー（４００）は、レーザー（４００）穴開口部を前記ハウジング（１０２）の前記前セクタ（１２２）に有し、約７８０ｎｍ又はそれ以上で作動し、
前記撮影モジュール（１）は、画像を捕捉するため、前記ハウジング（１０２）の前記前セクタ（１２２）内に位置決めされている、ライトヘッド（１００）。
【発明の詳細な説明】
【技術分野】
【０００１】
仮特許出願でない本願は、２００１年１１月６日に出願された米国仮特許出願第６０／３３２，７９３号の恩恵を主張するものである。同特許出願に触れたことにより、この特許出願に開示された内容は本明細書中に含まれたものとする。
【０００２】
本発明は、全体として多モードサーチライトに関し、更に詳細には、赤外線による従来の及び／又は多方面に亘る視覚的補助をヘリコプターのオペレータに提供する多モードサーチライトに関する。詳細には、本発明は、航空機の着陸灯及びサーチライトで使用するための、及び他の車輛及びシステムで使用するための多モード可視光及び赤外線ライトヘッドに関する。
【背景技術】
【０００３】
背景技術の以下の説明は、本発明者が背景技術のサーチライト技術のシステム及び特徴を分析した結果である。本発明は、航空機の外側の領域、例えば航空機の構造によって遮られた領域等を航空乗務員が見る上での可能性に対する制限に関する。航空機には、一般的には、暗闇や悪天候により視認性が低下した場合、地上移動中、離陸中、及び着陸中に照光を行うために着陸灯が取り付けられている。
【０００４】
着陸灯は、航空機の固定位置に取り付けることができる。別の態様では、着陸灯は、駆動ユニットによって枢動でき、又は必要な場合に航空機から延ばすことができ、使用しない場合に抗力を低下するために引っ込めることができる。サーチライトは、着陸灯と同様に駆動装置によって枢動できるが、更に、伸縮平面に対して垂直な平面内で最大３６０°回転できる。軍用及び法執行用のヘリコプターは、光ビームを所望方向に向けてターゲットを照らすため、サーチライトを一般的に使用する。
【０００５】
隠密作戦用の赤外線を使用する夜光撮影システム（「ＮＶＩＳ」）の出現により、選択された着陸領域及び索敵領域を可視光を使用せずに照らすため、赤外線を発生することによる、ＮＶＩＳに適合する着陸灯及びサーチライトに対する必要が生じた。初期のＮＶＩＳ適合着陸装置及びサーチライトは、従来の可視光システムに設置した赤外線フィルタを使用した。
【０００６】
初期のＮＶＩＳ適合照光システムには、航空乗務員が任務中に可視モードからＮＶＩＳモードに切り換えることができないという欠点があった。これは、航空機が地上にあるときに赤外線フィルタを設置したり取り外したりする必要があるためである。この欠点は、可視光エレメント及び赤外線エレメントの両方を含む従来のデュアルモードライトヘッドによって解決された。
【０００７】
スナイダー等に付与された米国特許第５，６９５，２７２号には、可視光及び赤外線を用いた従来技術の例示の照明エレメントが記載されている。同特許に触れたことにより、この特許に開示された内容は本明細書中に含まれたものとする。スナイダー等の特許には、可視光区分及び赤外線区分を持つランプヘッドが記載されている。オペレータは、赤外線フィラメントと可視光フィラメントとの間で切り換えを行うことができる。切り換えはランプヘッドで制御され、リレーやモード選択スイッチを用いて延ばしたり引っ込めたり回転させたりできる。
【特許文献１】
米国特許第５，６９５，２７２号  デュアルモードライトヘッドにより、航空乗務員は、デュアルモードライトヘッドの赤外線部分又は可視光部分のいずれかに電力を所望に応じて加えるだけで可視光照明モードと赤外線照明モードとの間で切り換えを行うことができる。従来のデュアルモードライトヘッドは、手作業で設置する初期のフィルタに対して大きな利点を提供するけれども、幾つかの欠点がある。第１に、故障したランプの交換が手間のかかる困難なプロセスである。これは、ランプの交換の度毎に取り外して再シールしなければならないセグメント式のレンズ−フィルタアッセンブリであるためである。この修理頻度により反射器が損傷し、これによってライトヘッドの光学的効率が低下する。
【０００８】
更に、デュアルモードライトヘッドは、代表的には、照明システムで利用できる表面積が可視光部分と赤外線部分との間で分けられてしまうため、放射される光の強さが、専用の赤外線照明システム又は可視光照明システムよりも低い。更に、従来のデュアルモードライトヘッドは、赤外線を発生するために赤外線フィルタを連結した可視光源を使用し、ライトヘッド内で高温が発生し、これによりライトエレメント、レンズ、及びシール材料の寿命が制限される。
【０００９】
ミーンズに付与された米国特許第５，５８９，９０１号には、別々の索敵装置及び監視装置を同期的に制御するための装置及び方法、例えば、サーチライト及び赤外線カメラ及び／又はビデオカメラを、使用者が一方の装置を移動し位置決めすることにより他方の装置の移動及び位置が直接決定されるように、直接的に電気的に関連させることができる装置及び方法が記載されている。同特許に触れたことにより、この特許に開示された内容は本明細書中に含まれたものとする。しかしながら、このシステムは、別々の装置を同時に作動できるようにする比較的複雑な比較測定器を必要とする。従って、本発明者は、保守が容易で光線出力の強さが高く、ライトヘッドの構成要素の寿命を伸ばすため低い温度で作動する、デュアルモードライトヘッド又は多モードライトヘッドが必要とされていることを確認した。
【特許文献２】
米国特許第５，５８９，９０１号
【発明の開示】
【発明が解決しようとする課題】
【００１０】
本発明は、従来技術と関連した欠点を解決し、従来技術で実現されなかった他の利点を達成する。
【課題を解決するための手段】
【００１１】
本発明の一つの特徴は、部分的には、ランプの交換が容易であり、光線出力が改善されており、従来のデュアルモードライトヘッドと比較して熱の発生が少ない多モードライトヘッドに関する。
【００１２】
本発明の追加の特徴は、部分的には、様々な作動条件での航空機の作動と関連した航空乗務員の視認性の問題を解決することである。
【００１３】
本発明の追加の特徴は、部分的には、サーチライトのキャノピーに取り付けられた撮影モジュールを提供することである。
【００１４】
本発明の追加の特徴は、部分的には、撮影モジュール及び／又は別に設置された同期装置を別々に収容するために航空機の構造を変更する必要なしに、遠隔の視覚情報源を航空乗務員又はオペレータに明示することである。
【００１５】
本発明の以上の特徴のうちの一つ又はそれ以上は、部分的には、多モードライトヘッドにおいて、前セクタ、後セクタ、上セクタ、及び下セクタを持つハウジング、ハウジングのセクタのうちの一つに連結された取り付け点、ハウジングの内側に取り付けられた、光をハウジングの前セクタから反射する反射装置、ハウジングの前セクタから画像を捕捉するため、ハウジング内に位置決めされた撮影モジュール、ハウジングの後セクタからハウジング内に設置され、ハウジングの前セクタから赤外線を放射するように位置決めされた少なくとも一つの高輝度赤外線ダイオード、ハウジングの後セクタからハウジング内に反射装置から突出するように設置された、ハウジングの前セクタから光を放射する少なくとも一つの可視光源、及びハウジングの前セクタに取り付けられた、放射された可視光又は赤外線のうちの少なくとも一方が通過する少なくとも一つのレンズを含む、多モードライトヘッドによって得られる。
【００１６】
本発明の以上の特徴のうちの一つ又はそれ以上は、更に、部分的には、多モードライトヘッドにおいて、前セクタ、後セクタ、上セクタ、及び下セクタを持つハウジング、ハウジングの前セクタから画像を捕捉するため、ハウジング内に位置決めされた撮影モジュール、ハウジングの後セクタからハウジング内に設置された、赤外線をハウジングの前セクタから放射するように位置決めされた少なくとも一つの高輝度赤外線ダイオード、及び反射器を通って突出し、光をハウジングの前セクタから放射するように、ハウジングの後セクタからハウジング内に設置された少なくとも一つの可視光源を含む、多モードライトヘッドによって得られる。
【００１７】
本発明の以上の特徴のうちの一つ又はそれ以上は、更に、部分的には、多モードライトヘッドにおいて、前セクタ、後セクタ、上セクタ、及び下セクタを持つハウジング、ハウジング内の高出力赤外線レーザー、ハウジングの前セクタのレーザー穴開口部、ハウジングの後セクタからハウジング内に設置された、赤外線をハウジングの前セクタから放射するように位置決めされた少なくとも一つの高輝度赤外線ダイオード、及び光をハウジングの前セクタから放射するように、ハウジングの後セクタからハウジング内に設置された少なくとも一つの可視光源を含む、多モードライトヘッドによって得られる。
【００１８】
本発明の以上の特徴のうちの一つ又はそれ以上は、更に、部分的には、多モードライトヘッドシステムにおいて、前セクタ、後セクタ、上セクタ、及び下セクタを持つライトヘッドハウジング、ハウジングの前セクタから画像を捕捉するため、ハウジング内に位置決めされた撮影モジュール、撮影モジュールからの画像を見て保持するためのディスプレー、ライトヘッドハウジングを位置決めし制御するための位置決め及び制御システム、ハウジングのセクタのうちの少なくとも一つに連結された、位置決め及び制御システムとの界面をなす取り付け部分、ハウジングの後セクタからハウジング内に設置された、赤外線をハウジングの前セクタから放射するように位置決めされた少なくとも一つの高輝度赤外線ダイオード、及び反射器を通って突出し、光をハウジングの前セクタから放射するように、ハウジングの後セクタからハウジング内に設置された少なくとも一つの可視光源を含む、多モードライトヘッドシステムによって得られる。
【００１９】
本発明の以上の特徴のうちの一つ又はそれ以上は、更に、部分的には、多モードライトヘッドシステムにおいて、前セクタ、後セクタ、上セクタ、及び下セクタを持つライトヘッドハウジング、ライトヘッドハウジングを位置決めし制御するための位置決め及び制御システム、ハウジングのセクタのうちの少なくとも一つに連結された、位置決め及び制御システムとの界面をなす取り付け部分、高出力赤外線レーザー、ハウジングの前セクタのレーザー穴開口部、ハウジングの後セクタからハウジング内に設置された、赤外線をハウジングの前セクタから放射するように位置決めされた少なくとも一つの高輝度赤外線ダイオード、及び反射器を通って突出し、光をハウジングの前セクタから放射するように、ハウジングの後セクタからハウジング内に設置された少なくとも一つの可視光源を含む、多モードライトヘッドシステムによって得られる。
【００２０】
本発明の以上の特徴のうちの一つ又はそれ以上は、更に、部分的には、多モードライトヘッドシステムにおいて、前セクタ、後セクタ、上セクタ、及び下セクタを持つライトヘッドハウジング、このライトヘッドハウジングを位置決めし制御するための位置決め及び制御システム、ハウジングのセクタのうちの少なくとも一つに連結された、位置決め及び制御システムとの界面をなす取り付け部分を含み、更に、ハウジングの後セクタからハウジング内に設置され、赤外線をハウジングの前セクタから放射するように位置決めされた高輝度赤外線ダイオード、可視光をハウジングの前セクタから放射するようにハウジングの後セクタからハウジング内に設置された可視光源、ハウジングの前セクタにレーザー穴開口部を持つ高出力赤外線レーザー、及び画像を捕捉するためのハウジングの前セクタ内の撮影モジュールのうちの少なくとも一つ、及びターゲットの捕捉及び固定位置追跡を制御するための、絶対位置検出性を備えたサーチライト制御装置、及びターゲットの絶対位置を追跡するためＧＰＳから位置データを受け入れる距離測定器を含む、多モードライトヘッドシステムによって得られる。
【００２１】
本発明の以上の特徴のうちの一つ又はそれ以上は、更に、部分的には、多モードライトヘッドを提供するためのプロセスにおいて、ハウジングの前セクタから画像を捕捉するため、撮影モジュールをハウジング内に設ける工程、ハウジングの前セクタから赤外線を放射するため、ハウジングの後セクタから少なくとも一つの高輝度赤外線ダイオードをハウジング内に設置する工程、可視光源が反射器を通って突出し、可視光をハウジングの前セクタから放射するように、少なくとも一つの可視光源を、この可視光源が光線をハウジングの前セクタから放射するようにハウジングの後セクタからハウジング内に設置する工程、及びハウジングの位置を制御する、ライトヘッド用の位置決め及び制御システムを設ける工程を含む、プロセスによって得られる。
【００２２】
本発明の以上の特徴のうちの一つ又はそれ以上は、部分的には、前セクタ、後セクタ、上セクタ、及び下セクタを持つハウジングを提供する工程、ハウジングの前セクタから画像を捕捉するためのハウジング内の撮影モジュール、例えば７８０ｎｍ又はそれ以上で作動する高出力赤外線レーザー、及びハウジングの前セクタから赤外線を放射するためにハウジングの後セクタからハウジング内に設けられた少なくとも一つの高輝度赤外線ダイオードのうちの少なくとも一つにより最新の航空補助及び視覚的補助を提供する工程、ハウジングの前セクタから光を放射するように、少なくとも一つの可視光源をハウジングの後セクタからハウジング内に設ける工程、及びハウジングの位置を制御するライトヘッド用位置−制御システムを提供する工程を含む、多モードライトヘッドを提供するためのプロセスによって得られる。
【００２３】
本発明の以上の特徴のうちの一つ又はそれ以上は、部分的には、ライトヘッドにおいて、前セクタ、後セクタ、上セクタ、及び下セクタを持つハウジング、ハウジングのセクタのうちの一つに連結された取り付け部分、及び高輝度赤外線ダイオード、可視光源、高出力赤外線レーザー、及び撮影モジュールのうちの少なくとも一つを含み、ダイオードは、ハウジングの後セクタからハウジング内に設置されており、ハウジングの前セクタから赤外線を放射するように位置決めされており、可視光源は、この可視光源がハウジングの前セクタから光を放射するように、ハウジングの後セクタからハウジング内に設置されており、高出力赤外線レーザーは、レーザー穴開口部をハウジングの前セクタに有し、約７８０ｎｍ又はそれ以上で作動し、撮影モジュールは、画像を捕捉するため、ハウジングの前セクタ内に位置決めされている、ライトヘッドによって得られる。
【００２４】
これらの及び他の特徴は、以下の説明、添付の特許請求の範囲、及び添付図面を参照することによりよく理解されるであろう。
【００２５】
本発明は、単なる例示であって本発明を限定するものではない添付図面を参照して以下の詳細な説明を読むことにより、更によく理解されるであろう。
【発明を実施するための最良の形態】
【００２６】
本発明を添付図面を参照して以下に詳細に説明する。図１は、本発明による多モードサーチライトを装着したヘリコプターの側面図である。図２のａは、本発明の一実施例による多モードサーチライトを後側から見た図である。図２のｂは、図２のａに示す多モードサーチライト用の後カバーの側面図である。図３は、本発明の多モードサーチライト用の可視光源の斜視図である。図４は、本発明の一実施例による多モードサーチライトの正面図である。図５は、本発明の一実施例による多モードサーチライトの例示の電気回路の概略図である。
【００２７】
本発明者は、従来技術で必要とされてきたことを分析し、従来技術のシステムと関連した幾つかの欠点を明らかにした。例えば、本発明は、ハウジング、好ましくは鋳造アルミニウム製ハウジングを持つモジュール式の設計を備えている。詳細には、ハウジングは、発光エレメントをライトヘッドの後側から設置するように設計されている。これにより、反射器の光学的効率を低下させる塵埃、油脂、又は指紋で反射器が汚れないようにする。更に、発光エレメントを後側から設置することにより、保守に要する時間を減少する。これは、従来技術のシステムのように前レンズを取り外し、その後に再シールする必要がないためである。
【００２８】
従来技術の前側取り付け式ハロゲンランプの交換は、更に、ランプのガラス製包囲体を掴んでソケットに設置することを必要とする。ランプのガラス製包囲体に塵埃、油脂、又は指紋等の汚れが付くため、ランプの寿命が短くなり、保守要員はランプを交換するときに軍手等の保護材料を使用しなければならない。本発明は、保守要員が、ガラス製包囲体を触る等により汚すことなくランプをライトヘッドの後側から取り扱ったり設置したりできるようにするベースを持つ可視光源を使用する。更に、ランプベースにより、可視光源の設置及び取り外しを工具を必要とせずに容易に行うことができる。
【００２９】
本発明は、更に、従来のライトヘッドで使用されたフィルタを備えた可視光源でなく、高輝度赤外線ダイオードを使用する。高輝度赤外線ダイオードは、強力な赤外線エミッションを提供するとともに、効率が高く、電力消費が少なく、長寿命であり、発熱が小さい。高輝度赤外線ダイオードは、更に、交換を迅速に且つ簡単にする。これは、モジュール式の設計になっているためである。本発明を航空機、例えばヘリコプターを参照して以下に詳細に説明するが、本発明は、地上、航空宇宙、及び海洋の複数の用途及びシステムに等しく適用できるということは当業者には理解されよう。
【００３０】
図１は、本発明による多モードサーチライトを装着したヘリコプターの側面図である。図１でわかるように、多モードサーチライト３はヘリコプターの胴体下部に設置できる。撮影モジュール１からの画像が、ヘリコプターのコックピットに取り付けられたディスプレー６に送られる。更に、多モードサーチライトは、パイロットが選択できる可視光及び赤外線の照光の他に画像情報を提供するのに使用できる。
【００３１】
航空機の日中の作動については、本発明の撮影モジュール１の位置は、キャノピー２の位置を調節するのに使用される現存の「伸縮」及び「回転」コックピット制御装置を使用することによって、乗務員によって、遠隔操作で差し向けることができる。撮影モジュール１からの画像は、乗務員に視覚的情報を提供するため、ディスプレー６に示される。例えば、撮影モジュール１は、ヘリコプターの下方又は後方に向けることができ、これにより、乗務員は、航空機の構造によって通常は見えない領域を見ることができる。夜間での作動については、撮影モジュール１は、可視光エレメント２００又は赤外線エレメント３０２と関連して使用できる。サーチライトの照光エレメントは、様々な条件で、撮影モジュール１で観察されるべき領域を照らすのに役立つ。
【００３２】
各々の開示内容全てが本明細書中に含まれる、ハミルトン等に付与された米国特許第６，３１５，４３５号、アレクサンダーに付与された米国特許第４，１１５，８４１号、ミーンズに付与された米国特許第５，５８９，９０１号、及びスナイダー等に付与された米国特許第５，６９５，２７２号には、関連技術で一般的に使用される航空機用多モードサーチライトを位置決めし、制御し、配置するための様々な方法及び機器が記載されている。本発明の多モードサーチライトを制御するため、多くの変更及び方法を使用できるということは当業者には理解されよう。
【００３３】
図４は、本発明の一実施例による多モードサーチライトの正面図である。多モードライトヘッド１００の後側の図は、例えば、図２のａ及びｂにも示してあるが、撮影モジュール１は示してない。多モードライトヘッド１００は、後セクタ１２８、上セクタ１２４、及び下セクタ１２６を持つハウジング１０２を含む。このハウジング１０２は、更に、図４に示し且つ以下に詳細に説明する前セクタ１２２を含む。ハウジング１０２は、鋳造した又は機械加工した材料、好ましくはアルミニウムでできていてもよく、随意であるが、光源が発生した熱の放散を補助するための複数の冷却フィン１０４を含んでもよい。
【００３４】
ハウジング１０２は、更に、ライトヘッド１００の可視光部分についての光学的設計を最適にする形状の放物面反射器キャビティ１０６を含み、可視光はハウジング１０２の前セクタ１２２から放射される。以下に更に詳細に論じる可視光源２００の設置を容易にするため、ランプリテーナスロット１３０が反射器キャビティ１０６に鋳造又は機械加工によって形成されている。キャビティ１０６は、更に、可視光源により発生した熱を運び去るのを補助するため、随意であるが、複数のヒートシンクリブ１０８を含んでもよい。
【００３５】
図２のａ、図７、及び図８でわかるように、開口部１１０は、赤外線源３０２又は撮影モジュール１を収容し、開口部１１２はライトヘッド１００の可視光源２００を収容する。取り付け点１１４がハウジング１０２の下セクタ１２６に取り付けられており、これにより、ライトヘッド１００を航空機構造に、又は随意であるが枢動装置に、及び着陸灯又はサーチライトの構成要素に直接取り付けるのが容易になる。複数のねじ１１８でソケット１２０に固定された後カバー１１６がライトヘッド１００の内部をエレメントから保護する。
【００３６】
図３は、本発明の多モードサーチライト用の可視光源の斜視図である。図３に詳細に示す可視光源２００は、ランプベース２０４に取り付けられた白熱電球２０２、好ましくはハロゲン電球を含む。ランプベース２０４は、ランプ２０２を汚すことなく可視光源２００を取り扱う上で便利な表面を提供する。一つ又はそれ以上の保持ばね２０６がリベット２０８又は保持クリップ等の従来のファスナによってランプベース２０４に取り付けられている。ランプリード２１０は、ランプ２０２への電源の接続を容易にする。
【００３７】
図４は、本発明の一実施例による多モードサーチライト３の正面図である。図２のａ及びｂ、図３、及び図４でわかるように、好ましくは高輝度赤外線ダイオードである赤外線源３０２をハウジング１０２の後セクタ１０２から開口部１１０に、前セクタ１２２に面するように設置する。好ましくはハロゲンランプである可視光源２００を開口部１１２にハウジング１０２の後セクタ１２８からハウジング１０２の前セクタ１２２に面するように設置する。各可視光源２００をハウジング１０２の開口部１１２に押し通すとき、保持ばね２０６が拡がり、次いで、可視光源２００を所定位置にしっかりと保持するためのランプリテーナスロット１３０にスナップ嵌めする。
【００３８】
可視光源２００からの発光を最適にするため、鋳造アルミニウム製反射器３０６がキャビティ１０６に設置されている。レンズ３０８がハウジング１０２の前セクタ１２２に設置されており、ライトヘッド１００の内部をエレメントから保護するため、シールされている。取り付け点１１４がハウジング１０２の下セクタ１２６に取り付けられており、これにより、ライトヘッド１００を航空機構造に、又は随意であるが枢動機構に、又は着陸灯又はサーチライト３のキャノピー２に直接取り付けるのが容易になる。
【００３９】
図５は、本発明の一実施例による多モードサーチライトの例示の電気回路の概略図である。図５に示すように、デュアルモードライトヘッド用の電力は、電力入力ライン４１６、４１８によって供給される。多モードサーチライトの回路は、以下に更に詳細に説明する様々な装置及び構成を受け入れるために容易に変更できるということは当業者には理解されよう。図５では、電力は、制御回路４００の論理回路４１０に論理ライン４２０、４２２を介して論理的電気入力信号を提供するスイッチ４０２によって制御される。論理回路４１０が「視認可能」論理ライン４２０に電圧が存在することを検出すると、金属／酸化膜／半導体電界効果型電力用トランジスタ（ＭＯＳＦＥＴ）等の電子スイッチ４１２を賦勢することにより、可視光源２００から可視光を放射する。
【００４０】
論理回路４１０が「ＮＶＩＳ」論理ライン４２２に電圧が存在することを検出すると、ドライバー制御装置４１４がドライバー４０８を賦勢する。電流制限器等のドライバー４０８は、制御された量の電流を赤外線源３０２に供給し、これによって赤外線源３０２から赤外線を放射する。論理回路４１０は、論理ライン４２０、４２２のいずれかで電圧が検出されない場合には、可視光源２００及び赤外線源３０２の両方を消勢する。更に、論理回路４１０は、更に、例えば両論理ライン４２０、４２２に電圧が存在するといった不法な論理状態が存在する場合、可視光源２００及び赤外線源３０２の両方を消勢する。
【００４１】
高電圧保護フィルタ４０４は、航空機と制御回路４００との間で電気的ノイズを遮断する。電圧調整器等の電源４０６が、航空機からの電力を例示の制御回路４００の構成要素に適した電圧レベルに合わせて調整する。撮影モジュール１には、共通の電源又は別々の電源のいずれかによって電力が加えられ、撮影モジュール１を位置決めし作動するための別の制御回路が設けられ、情報はコックピットディスプレー６に差し向けられる。
【００４２】
作動では、多モードサーチライト３は、固定式の又は格納式の着陸灯機構又はサーチライト機構に取り付けられる。コックピットに配置された制御スイッチ４０２は、代表的には、「オフ」位置にあり、電力が可視ランプ２００及び赤外線源３０２の両方にいかないようにする。オペレータが制御スイッチ４０２を「視認可能」位置に設定したとき、電子スイッチ４１２が賦勢され、これによって電力を可視光源２００に加え、これらの光源から明るい可視光を放射する。オペレータがスイッチ４０２を「ＮＶＩＳ」位置にすると、ドライバー４０８が賦勢され赤外線源３０２が赤外線を放射し、隠密作戦中の索敵、視準、及び着陸を容易にする。
【００４３】
本発明を特定の用途についての特定の実施例に関して図示し且つ説明したが、本発明は、航空での使用に限定されない。上文中に論じたように、本発明は、手持ち式の及び定置の設備、並びに自動車、船舶、及び鉄道を含む全ての種類の交通手段に直ちに適用できる。
【００４４】
図６は、本発明の別の実施例による多モードサーチライトの正面図である。図７は、図６に示す多モードサーチライトの斜視図である。図８は、図６に示す多モードサーチライトの斜視図である。図６に示すように、最大１１００ｎｍの近赤外（「ＩＲ」）領域に反応する撮影モジュール１が多モードサーチライト３のキャノピー２内に配置される。キャノピー２は、追加の位置決め及び制御システムを含むモータ及びギヤ等の従来の電気機械的装置及びシステム、及び上文中に説明し本明細書中に組み込んだ従来技術の方法によって、広範な位置に亘って遠隔操作で移動できる。
【００４５】
撮影モジュール１へのインターフェースを提供するため、別のコネクタ４を多モードサーチライト３に取り付けることができる。通常の夜間飛行中に所望のターゲットを可視光で照らすため、一つ又はそれ以上の可視光エレメント２００を使用し、一つ又はそれ以上の赤外線源３０２が設けられ、夜間隠密飛行中に所望のターゲットを赤外線で照らすために使用される。図６には、単一の撮影モジュール１、単一の赤外線エレメント３０２、及び一対の可視光エレメント２００が示してあるということは当業者には理解されよう。しかしながら、上述のエレメントの各々の量、強さ、及び特性は、様々な用途及び任務における必要条件に合わせて用意に変更できる。
【００４６】
キャノピー２を遠隔操作で片持ち梁式に作動できる利点を得るため、キャノピー２に追加の機能を組み込むことができるということにも着目すべきである。例えば、レーザーエミッターをキャノピーに取り付け、視準用ポインターとして及び／又は視認補助として使用してもよい。更に、本発明の多モードサーチライトは、固定の視準及び／又は航行補助装置と一体化した制御システムに組み込んでもよい。
【００４７】
例えば、本発明者は、パイロットが、サーチライト３により可視光で照らす前にサーチライトを隠密裏に位置決めするため、可視光エレメント２００サーチライトと関連して作動される赤外線レーザー指示子４００を操作する必要があることを確認した。別の態様では、パイロットは、視準目的のため及び／又は航行の目的のために赤外線レーザー指示子４００に指令を与え、制御し、例えばサーチライトを用いて又は用いずに建物や地上の領域を隠密裏に照らしたり指示したりする。
【００４８】
図９は、本発明の一実施例による多モードライトヘッドの後面図である。図１０は図９に示す多モードライトヘッドの正面図である。図１１は、本発明の一実施例による光学式スリップリングアッセンブリの部分側面図である。図１２は、可視光指示子、赤外線指示子、及び／又は赤外線レーザー指示子を持つ本発明の多モードライトヘッドの例示の概略配線図である。
【００４９】
例えば７８０ｎｍ又はそれ以上で作動する赤外線レーザーが多モードサーチライト３（図６参照）に、例えば赤外線エレメント３０２の代わりに組み込まれている場合、パイロット又はナビゲーターは、ターゲットを直ちに照らすようにサーチライト３を位置決めできる。サーチライトの機械式旋回システムにより、ビームを所望の対象物又は位置に隠密に差し向けることができる。別の態様では、サーチライトは、可視光エレメント２００が作動されていない場合でも、ターゲット位置又は航行情報を通信するために使用できる。例えば、赤外線レーザー４００は、約３．２１８ｋｍ（約２マイル）の範囲内で通信でき、これによって、様々な作動条件で通信及び航行を広げる。
【００５０】
図９及び図１０は、約７８０ｎｍ又はそれ以上で作動する例えば５０ｍＷ又はそれ以上の高出力赤外線レーザーをキャノピー２内に組み込んだサーチライト３の図である。図９及び図１０でわかるように、赤外線レーザー４００は絶縁ハウジング４１０に取り付けられており、このハウジングが、サーチライトキャノピー２に設置される。この取り付け形体を示すのに、例えば、ＰＡＲ−４６ＮＧキャノピーを使用するが、変形例のキャノピー設計は、必要に応じて本発明に容易に組み込むことができる。例えば、赤外線モジュール３０２、可視光モジュール２００、及び撮影モジュール１を持つキャノピー２が図９及び図１０に示してある。しかしながら、キャノピー２に別の態様の構成、例えば一対の赤外線モジュール３０２、一対の可視光モジュール２００、及び赤外線レーザー４００を容易に装着でき、これによって撮影モジュール１が除外されるということは当業者に理解されよう。図１０でわかるように、赤外線レーザー４００を作動するため、赤外線航行及び／又は視準レーザー用の穴４１０がキャノピー２の前セクタに設けられている。
【００５１】
しかしながら、図９及び図１０に示す赤外線レーザー４００は、必ずしもキャノピー２内に配置されていなくてもよい。別の態様では、先ず最初にレーザー４００を絶縁ハウジング４１０に設置し、次いでこれを例えばヘリコプター又は航空機の胴体のサーチライトベース３又は他の部分等のキャノピー２から離れた遠隔の位置に設置する。光ファイバ導光器４４０の一端をレーザーモジュール４００に取り付けることができ、他端をキャノピー２に入れることができる。キャノピー２の内側では、ファイバの端部からのエネルギを光学的に再コリメートできる。
【００５２】
しかしながら、サーチライト３を３６０°回転できるようにするため、光ファイバ４４０は、図１１に示すような光学式スリップリング４５０を備えていなければならない。図示の光学式スリップリング４５０は、ベアリングアッセンブリ（図示してあるけれども参照番号が付してない）、球面レンズ４３０、及び赤外線レーザー４００及び回転するサーチライト３と関連した作動に必要な光ファイバ４４０を含む。しかしながら、光ファイバ、レンズ装置、定置部分、例えば赤外線レーザー４００に接続する部分、及び回転部分、例えばキャノピー２に連結された部分を含む任意の光学式スリップリングアッセンブリを本発明に組み込むことができる。
【００５３】
上述のように、図１２は、可視光、赤外線、及び／又は赤外線レーザー指示子を使用できる本発明の多モードライトヘッドの例示の概略配線図である。図示の配線図は、赤外線レーザー４００がキャノピー２のハウジングの外側に取り付けられた、例えば赤外線レーザー４００がキャノピー２の近傍に随意のスリップリングを使用して上文中に説明したように取り付けられた多モードライトヘッドシステムに関する。
【００５４】
本発明の追加の特徴は、視準固定追跡サーチライト、例えば可視光モジュール２００及び／又は赤外線モジュール３０２及び絶対位置検出装置を使用するサーチライトに関する。上述のように、ハミルトン等に付与された米国特許第６，３１５，４３５号には、特にヘリコプターに取り付ける上で有用な従来技術の電子制御式プログラム可能多モードサーチライトが記載されている。同特許に触れたことにより、この特許に開示された内容は本明細書中に含まれたものとする。この種のサーチライトは、所定位置に関するサーチライトの移動を制御するため、デジタル式電子制御回路を回転式ポテンショメータと関連して使用する。ハミルトン等には、更に、サーチライトを作動するためのマイクロプロセッサ制御式電子回路が記載されている。ライトヘッドは、所定の移動範囲内で作動する。しかしながら、移動範囲は、トリムポットを手動で調節するのでなく、マイクロプロセッサを再プログラムして対応する回路を調節することによって変化させることができる。ハミルトン等の特許に記載された装置は、部分的には、手間と時間がかかるマイクロスイッチ移動作業をなくそうとするものである。
【００５５】
同様に、本発明者は、ヘリコプターのパイロットが、ヘリコプターに取り付けられた一つ又はそれ以上のサーチライトを制御するため、多位置瞬間スイッチを同時に使用する不都合があるということを確認した。更に、ハミルトン等の特許に記載されたシステム等の従来技術のシステムは、絶対位置検出を備えたサーチライト性能を備えている。しかしながら、本発明は、ＧＰＳ型位置−範囲データ並びに演算処理−アクティブ制御性の実行といった有利な特徴を備えている。
【００５６】
多くの場合において、パイロットは、探索及び救助又は他の同様の任務を行うときにヘリコプターの下の地上の特定の対象物又は位置、又は水中を照らす必要がある。ヘリコプターが固定のターゲットに対して移動するとき、パイロットは、サーチライトの位置を連続的に調節し、この移動を補償しなければならない。このサーチライトの制御は、パイロット又は副パイロットに追加の作業負荷を課す。
【００５７】
図１３は、ターゲットと本発明の多モード固定追跡ライトヘッドとの間の関係のベクトル図である。固定位置にあるターゲットを最初に照らすとき、パイロットは「獲得」スイッチを賦勢する。絶対位置検出−距離測定器を持つ制御可能なサーチライトは、ヘリコプター位置データ、例えばＧＰＳデータを入力として受け入れ、固定ターゲットの絶対位置を計算するためにこれを固定ターゲットまでの距離測定データと組み合わせる。サーチライトのアクティブフィードバック及び制御は、空間内のこの立体的点を通過するサーチライトビームを維持するための方法を制御する。
【００５８】
図１４は、固定ターゲット追跡サーチライト特性を組み込んだ本発明の多モードライトヘッドのブロックダイヤグラムである。固定ターゲット追跡サーチライトは、追跡システムからのフィードバック座標、例えば図１３に示すデータを演算処理するためのサーチライト制御装置５００を使用する。撮影モジュール１、赤外線モジュール３０２、等の追加の機能を支援するため、サーチライト制御装置は、変更を施して又は重複して使用できるということは当業者には理解されよう。図１４に示す例示のシステムでは、第１及び第２の動力駆動回路モータ、左／右モータ、伸／縮モータ、速度計及びトルク計を備えた夫々のギヤアッセンブリ、及びサーチライトの絶対位置検出を制御するための出力シャフトが設けられ、これらはサーチライト制御装置５００によって制御される。
【００５９】
固定ターゲット追跡機能は、ヘリコプターの位置をサーチライト制御装置に実時間でフィードバックし、このデータをヘリコプターの高度と組み合わせ、ロックベクトルＶ１の「基準」サーチライト−ターゲット座標（Ｘ１、Ｙ１、Ｚ１）を定めることによって得られる。図１３及び図１４でわかるように、ヘリコプターの位置が変化するとき、新たな実時間座標（Ｘ２、Ｙ２、Ｚ２）を更新し、基準座標（Ｘ１、Ｙ１、Ｚ１）と組み合わせて演算処理し、位置補正エラーを確立し、これにより制御装置が、サーチライトの「伸長／引っ込め」モータ及び「回転左／右」モータを、新たなロックベクトルＶ２がゼロエラーでターゲットにロックオンされるまで賦勢する。このプロセスは、ヘリコプターが別の位置、例えばベクトルＶ３の（Ｘ３、Ｙ３、Ｚ３）位置、ベクトルＶ４の（Ｘ４、Ｙ４、Ｚ４）位置、等に移動するまで続けられる。
【００６０】
多モードライトヘッドをヘリコプター用サーチライト３として使用する場合、位置ロックサーチライトは、ＧＰＳ及び距離測定器のデータを使用し、対象物の位置を確定する。フィードバックシステムは、サーチライト３を、ヘリコプターの移動に拘わらず、パイロットによる制御を必要とせずに、対象物即ちターゲットに自動的にロックできる。上述の実施例は、視準用、及び航行乗務員の安全性を高めると同時にパイロットの作業負荷を減らすため、ＳＡＲについて特に有用であるということは当業者には理解されよう。
【００６１】
図１５は、ターゲットの位置とサーチライトの位置との間の高度及び距離に関する関係の概略図である。距離測定性能を備えている場合、本発明のオペレータは、ターゲットの位置と地面に対するサーチライトの高さとの間の高度差Ｚ２を決定できる。図１５でわかるように、距離は、図示の直角三角形の斜辺として示してあり、ターゲットへの角度θによって定義される。図１５に示す実施例の変形例、例えば高度と無関係に距離を測定することを、距離測定性なしで、例えば同高度追跡で行うことができる。
【００６２】
本発明の変形例は、高度及びＧＰＳ型位置情報を受け取り、アクティブサーチライトに指令を発し、特定の所定のターゲット位置即ち立体位置に差し向け、パイロットをターゲット位置に直観的に差し向ける。更に、サーチライトは、地上の視覚的捜索者を予め定められたプログラム順序で自動的に走査するようにできる。従って、本発明に関して説明した多モードライトヘッド及びシステムは、ビデオ、レーザー、可視光、赤外線、距離測定−位置決め性の様々な組み合わせを提供する。
【図面の簡単な説明】
【００６３】
【図１】本発明による多モードライトヘッドを装着したヘリコプターの側面図である。
【図２−ａ】本発明の一実施例による多モードライトヘッドの後面図である。
【図２−ｂ】図２のａに示す多モードライトヘッド用の後カバーの側面図である。
【図３】本発明の多モードライトヘッド用の可視光源の斜視図である。
【図４】本発明の一実施例による多モードライトヘッドの正面図である。
【図５】本発明の一実施例による多モードライトヘッドの例示の電気回路の概略図である。
【図６】本発明の一実施例による多モードライトヘッドの正面図である。
【図７】図６に示す多モードライトヘッドの斜視図である。
【図８】図６に示す多モードライトヘッドの斜視図である。
【図９】本発明の一実施例による多モードライトヘッドの後面図である。
【図１０】図９に示す多モードライトヘッドの正面図である。
【図１１】本発明の一実施例による光学式スリップリングアッセンブリの部分側面図である。
【図１２】可視光指示子、赤外線指示子、及び／又は赤外線レーザー指示子を持つ本発明の多モードライトヘッド用の例示の概略配線図である。
【図１３】ターゲットと本発明の多モード固定追跡ライトヘッドと間の関係のベクトル図である。
【図１４】固定ターゲット追跡サーチライト特性を組み込んだ本発明の多モードライトヘッドのブロックダイヤグラムである。
【図１５】ターゲットとサーチライトとの間の位置関係の、高度及び／又は距離に関する概略図である。
【符号の説明】
【００６４】
１  撮影モジュール
２  キャノピー
３  多モードサーチライト
６  ディスプレー
１００  多モードライトヘッド
１０２  ハウジング
１０４  冷却フィン
１０６  放物面反射器キャビティ
１０８  ヒートシンクリブ
１２２  前セクタ
１２４  上セクタ
１２６  下セクタ
１２８  後セクタ
１３０  ランプリテーナスロット
２００  可視光エレメント
３００  赤外線エレメント
【図５】
2005508271.tif 000003
【図１１】
2005508271.tif 000004
【図１２】
2005508271.tif 000005
【図１３】
2005508271.tif 000006
【図１４】
2005508271.tif 000007
【図１５】
2005508271.tif 000008
【国際公開パンフレット】
2005508271.tif 000009
2005508271.tif 000010
2005508271.tif 000011
2005508271.tif 000012
2005508271.tif 000013
2005508271.tif 000014
2005508271.tif 000015
2005508271.tif 000016
2005508271.tif 000017
2005508271.tif 000018
2005508271.tif 000019
2005508271.tif 000020
2005508271.tif 000021
2005508271.tif 000022
2005508271.tif 000023
2005508271.tif 000024
2005508271.tif 000025
2005508271.tif 000026
2005508271.tif 000027
2005508271.tif 000028
2005508271.tif 000029
2005508271.tif 000030
2005508271.tif 000031
2005508271.tif 000032
2005508271.tif 000033
2005508271.tif 000034
2005508271.tif 000035
2005508271.tif 000036
2005508271.tif 000037
2005508271.tif 000038
2005508271.tif 000039
2005508271.tif 000040
2005508271.tif 000041
2005508271.tif 000042
2005508271.tif 000043
2005508271.tif 000044
2005508271.tif 000045
2005508271.tif 000046
2005508271.tif 000047
2005508271.tif 000048
2005508271.tif 000049
2005508271.tif 000050
2005508271.tif 000051
2005508271.tif 000052
2005508271.tif 000053
【国際調査報告】
2005508271.tif 000054
2005508271.tif 000055
2005508271.tif 000056
2005508271.tif 000057
2005508271.tif 000058